(57)【要約】      （修正有）【課題】内枠の移動を制限することなく、充填材を保護するカバー体を有する、周面摩擦計を提供する。【解決手段】外枠１と、外枠１に嵌合する内枠２と、を有する周面摩擦計において、外枠１と内枠２との間の目地に充填材５を充填し、充填材５の露出面の少なくとも一部を覆うカバー体６を有する。カバー体６は平板状であり、外枠１の上面に固定し、カバー体６の内枠２側の端部は、内枠２の上端から所定の間隔を設ける。【選択図】図１
0003213685.tif 000002
【実用新案登録請求の範囲】
【請求項１】
外枠と、前記外枠に嵌合する内枠と、を有する周面摩擦計において、
前記外枠と前記内枠との間の目地に充填材を充填し、
前記充填材の露出面の少なくとも一部を覆うカバー体を有する、周面摩擦計。
【請求項２】
請求項１に記載の周面摩擦計において、
前記カバー体は平板状であり、前記外枠の上面に固定し、
前記カバー体の前記内枠側の端部は、前記内枠の上端から所定の間隔を設けることを特徴とする、周面摩擦計。
【請求項３】
請求項１に記載の周面摩擦計において、
前記カバー体は断面視略コ字状の弾性体であり、
前記外枠の外側と前記内枠の内側を挟み込んで配置することを特徴とする、周面摩擦計。
【請求項４】
請求項１に記載の周面摩擦計において、
前記カバー体は断面視Ｌ字状であり、
前記カバー体の一辺で前記外枠と前記内枠の上部および前記充填材の露出面を覆い、他辺を前記内枠に固定し、
前記カバー体の一辺の端部は、前記外枠の端面から所定の間隔を設けることを特徴とする、周面摩擦計。
【考案の詳細な説明】
【技術分野】
【０００１】
本考案は、ケーソン周面と周面地盤の間の摩擦力を計測するための周面摩擦計に関する。
【背景技術】
【０００２】
従来から、地中に構造物を構築する際に、地上で構築したケーソンを地中に沈下させる工法が行われている。
このとき、ケーソンを精度良く沈設させるためには、ケーソンの周面と周面地盤の間の摩擦力を計測する必要がある。
【０００３】
摩擦力を計測するための周面摩擦計は、ケーソンに埋設して固定する外枠１と、外枠１に嵌合する内枠２とからなり、外枠１と内枠２との間には摩擦力を検出するための感度部３を配置する（図７）。
【０００４】
周面摩擦計は、作用する摩擦力によって内枠２が外枠１内で移動して感度部３に力を伝達するものであるため、外枠１と内枠２との間には目地４が設けられている。目地４には、外枠内に土砂が入り込まないように、充填材５を注入する（図８）。
【考案の概要】
【考案が解決しようとする課題】
【０００５】
この充填材５は、内枠２が移動できるように弾力性を有するシリコン等の樹脂製である。
しかし、充填材５の表面は土砂面に曝されているため、樹脂製の充填材５が土砂によりすり減ってしまうという問題があった。
【０００６】
本考案は、内枠の移動を制限することなく、充填材を保護するカバー体を有する、周面摩擦計を提供することを目的とする。
【課題を解決するための手段】
【０００７】
上記目的を達成するためになされた本願の第１考案は、外枠と、前記外枠に嵌合する内枠と、を有する周面摩擦計において、前記外枠と前記内枠との間の目地に充填材を充填し、前記充填材の露出面の少なくとも一部を覆うカバー体を有する、周面摩擦計を提供する。
本願の第２考案は、第１考案の周面摩擦計において、前記カバー体は平板状であり、前記外枠の上面に固定し、前記カバー体の前記内枠側の端部は、前記内枠の上端から所定の間隔を設けることを特徴とする、周面摩擦計を提供する。
本願の第３考案は、第１考案の周面摩擦計において、前記カバー体は断面視略コ字状の弾性体であり、前記外枠の外側と前記内枠の内側を挟み込んで配置することを特徴とする、周面摩擦計を提供する。
本願の第４考案は、第１考案の周面摩擦計において、前記カバー体は断面視Ｌ字状であり、前記カバー体の一辺で前記外枠と前記内枠の上部および前記充填材の露出面を覆い、他辺を前記内枠に固定し、前記カバー体の一辺の端部は、前記外枠の端面から所定の間隔を設けることを特徴とする、周面摩擦計を提供する。
【考案の効果】
【０００８】
本考案は、上記した課題を解決するための手段により、次のような効果の少なくともいずれかを得ることができる。
（１）充填材の露出面をカバー体によって覆うことにより、充填材が土砂によりすり減ることを防止できる。
（２）外枠の上面に固定したカバー体の端部を内枠の上端から離すことにより、内枠の移動を制限しない。
（３）外枠と内枠を挟み込んで覆うカバー体を弾性体とすることにより、内枠の移動を制限しない。
（４）カバー体を内枠に固定し、外枠側の端部と外枠端面との間に隙間を設けることにより、内枠の移動を制限しない。
【図面の簡単な説明】
【０００９】
【図１】本考案の実施例１の周面摩擦計の説明図
【図２】本考案の実施例１の周面摩擦計の目地の説明図
【図３】本考案の実施例２の周面摩擦計の説明図
【図４】本考案の実施例２の周面摩擦計の目地の説明図
【図５】本考案の実施例３の周面摩擦計の説明図
【図６】本考案の実施例３の周面摩擦計の目地の説明図
【図７】従来の周面摩擦計の説明図
【図８】従来の周面摩擦計の目地の説明図
【考案を実施するための形態】
【００１０】
以下、図面を参照しながら本考案の実施の形態について説明する。
【実施例１】
【００１１】
＜１＞周面摩擦計
本考案の周面摩擦計は、ケーソンなどの構造物の表面に固定し、構造物とその周面地盤との摩擦力を計測するものである。
本考案の周面摩擦計は、構造物に固定する外枠１と、外枠１に嵌合する内枠２と、からなる。
外枠１の内面中央には、内枠２に作用する摩擦力を検知するための感度部３を設ける。
【００１２】
＜２＞目地
外枠１と内枠２との間には、内枠２が外枠１内で移動するための目地４を有する。
周面摩擦計は周面地盤に面しており、周面地盤の土砂が目地４から外枠１内に土砂が入り込まないように、充填材５を充填する（図１）。
【００１３】
＜３＞充填材
充填材５は、シリコン等の樹脂製であり、弾力性を有する。
内枠２は、上面から目地４側に向かって下方に傾斜する傾斜面２１を形成し、充填材５は、傾斜面２１に沿って断面視略三角形状に目地４に充填する。
【００１４】
＜４＞カバー体
外枠１の上面には、目地４側に突出して充填材５の露出面の一部を覆う、金属製のカバー体６を、固定具６１により固定する。
周面摩擦計は土砂面に接しているが、カバー体６により充填材５の露出面を覆うことにより、充填材５が土砂によりすり減ることを防止できる。
【００１５】
カバー体６の内枠２側の端部は、内枠２の傾斜面２１より所定の間隔を設けた位置とする。
周面摩擦計は、摩擦力によって内枠２が充填材５を弾性変形させて外枠１内を移動するが、カバー体６を内枠２の傾斜面２１を所定の間隔を設けることで、内枠１の上端とカバー体６の端部が離れ、内枠２が移動しても、カバー体６が干渉して内枠２の移動を制限することがない。
【実施例２】
【００１６】
本実施例においては、カバー体６を断面視略コ字状とし、外枠１および内枠２の上面と充填材５の露出面を覆い、外枠１の外側と内枠２の内側から挟み込む形状とする。
カバー体６は、ゴムまたは樹脂製の弾性を有する材料からなる。
これにより、充填材５およびカバー体６が弾性変形し、内枠２の移動を制限しない。
また、カバー体６の弾性により外枠１および内枠２を挟み込む形状であるため、固定具６１が不要であり、取り付けも容易である。
【実施例３】
【００１７】
本実施例においては、カバー体６により、外枠１および内枠２の上部と充填材５の露出面を覆い、断面視略Ｌ字状に折り返したカバー体６を内枠２に固定具６１により固定する。
カバー体６の外枠１側の端部は、外枠１の端面から所定の間隔を設けて、隙間Ｃを設ける。
隙間Ｃにより、内枠２が移動しても、カバー体６が構造物と干渉して内枠２の移動を制限することがない。
り、内枠２が移動しても、カバー体６が干渉して内枠２の移動を制限することがない。
隙間Ｃには、充填材５のように弾性を有するものを充填してもよい。
【符号の説明】
【００１８】
１      外枠
２      内枠
２１    傾斜面
３      感度部
４      目地
５      充填材
６      カバー体
６１    固定具
【図１】
0003213685.tif 000003
【図２】
0003213685.tif 000004
【図３】
0003213685.tif 000005
【図４】
0003213685.tif 000006
【図５】
0003213685.tif 000007
【図６】
0003213685.tif 000008
【図７】
0003213685.tif 000009
【図８】
0003213685.tif 000010